(57)【特許請求の範囲】
【請求項１】
表土層剥き取り具と運搬具を兼ねる表土移植具であって、
自走式機械の先端の表土剥き取り機構と一体的に表土層を剥き取り満載収容自在に前端を取り入れ排出端として開放し且つ当該表土剥き取り機構内に着脱自在にセット装着するよう形成した、
ことを特徴とする表土移植具。
【請求項２】
前記表土移植具は、
左右及び後端全長に亙り壁部を擁する、
ことを特徴とする請求項１に記載の表土移植具。
【請求項３】
前記取り入れ排出端は、
閉鎖板帯にて閉鎖自在に形成した、
ことを特徴とする請求項１又は２に記載の表土移植具。
【請求項４】
前記取り入れ排出端は、
前記表土剥き取り機構前部に保持するストッパ片を近傍下側に突設してなる、
ことを特徴とする請求項１、２又は３に記載の表土移植具。
【請求項５】
前記左右壁部は、
前後寄りにそれぞれ吊り上げの為のフック穴を設けている、
ことを特徴とする請求項２、３又は４に記載の表土移植具。
【請求項６】
前記表土移植具は、
金属、木材、プラスチック、硬厚紙の何れかの素材である、
ことを特徴とする請求項２、３、４又は５に記載の表土移植具。
【請求項７】
前記木材、前記硬厚紙は、
使い捨ての場合、肥料の含浸と付着のいずれかを施してある、
ことを特徴とする請求項６に記載の表土移植具。
【請求項８】
前記表土移植具は、
前記取り入れ排出端から前記後端壁に至り横幅を末狭に形成してある、
ことを特徴とする請求項２、３、４、５、６又は７に記載の表土移植具。
【請求項９】
前記表土移植具は、
空状態での保管時及び運搬時には、前に順次ずれ出した変形段積自在に形成してある、
ことを特徴とする請求項２、３、４、５、６、７又は８に記載の表土移植具。
【請求項１０】
前記表土移植具は、
内側面全体に土に対する滑り性の有る塗料のコーティングと紙製ガムテープの貼着のいずれかを施してある、
ことを特徴とする請求項２、３、４、５、６、７、８又は９に記載の表土移植具。
【発明の詳細な説明】
【０００１】
【発明の属する技術分野】
本発明は、表土層の生きたままの自然環境を移動して生態系をそっくり転居することにより自然破壊を可及的に少なくし自然との共存を計るために供される表土移植具に関する。
【０００２】
【従来の技術】
樹木移植工事や各種造成工事や河川工事や造園工事などに際し、或る場所から他の場所に表土層や土壌を運搬移動するには、ショベルローダやブルドーザ等の土木機械を使って掘り取ったり、１箇所に集積してダンプカーに載せて他の場所に運搬し荷台を傾けて直接目的場所に降し堆積したり、均したりしている。
【０００３】
【発明が解決しようとする課題】
しかして、このようなやり方では、前記一連の作業中に表土層や土壌中に生息する昆虫や幼虫などの生物、土中のバクテリアや各種土壌菌や各種菌種、花や草や小樹木等の植物の種子や根っ子や球根が何度も撹拌されて傷付いたり、表土面に露出したり、生息環境を破壊されたり等して死滅し自然破壊が行われ生態系を保持して移転されることは不可能である。
【０００４】
近年、人類が永々と続けてきた自然破壊により地球規模のＣＯ２やパーフルオロカーボンガスによる温暖化現象、フロンやトリクロロエタンの放出によるオゾンホールの拡大、トリクロロエチレン等有機塩素系化合物や重金属による土壌汚染、エルニーニョ現象による海流の流れ方向と温度変化、開墾の為の森林焼きや樹木乱伐による気象の変化に伴う大洪水の発生や砂漠化、酸性雨化による森の枯れ死、プラスチック製品（釣り糸や各種製品）の川や海への投棄による自然動物への悪影響、タンカーの海難事故によるオイルの流出に伴う海水汚染と動植物への悪影響、原子力発電所からの放射線漏洩による周辺地域の核汚染、動植物の乱獲や密猟による稀少動植物の絶滅、洗剤や化学肥料や殺虫剤等の化学品の自然への放出による土壌や地下水や河川や海水の悪化変質、廃棄物燃焼に伴うダイオキシンによる空気汚染、等が一気に噴出し人類の未来への生存の危機に直面するに至っている。
【０００５】
人間は、万物の霊長と言われ、食物連鎖の頂点にいる為、生態系の変化とか自然環境破壊や汚染の影響をまともに受ける立場にいると言っても過言ではない。それ故に、限られた自然の保護及び保全が強く叫ばれ、公害の撲滅を目指し企業の社会適格としてＩＳＯ認定規格を取得することが要望され、あらゆる企業活動、社会活動、生活活動に自然保護が尊重され、自然破壊に繋がれば、社会的に非難され、あまつさえ法的に制裁を加えられることもある。
【０００６】
ここにおいて、本発明の解決すべき主要な目的は、次の通りである。
即ち、本発明の第１の目的は、各種土木工事に当り、表土の自然環境及び生態系を破壊することなくそのままそっくり移転し得る表土移植具を提供せんとするものである。
【０００７】
本発明の第２の目的は、作業の省人化を計り大規模且つ迅速な機動性を発揮し得る表土移植具を提供せんとするものである。
【０００８】
本発明の第３の目的は、地面を掘ったり剥き取ったりする従来の土木機械や建設機械や農業機械などを利用し得る表土移植具を提供せんとするものである。
【０００９】
本発明の第４の目的は、移転先の現場条件に合せ表土移植具の素材を選択し、何回でも使用する通い運搬具としたり、埋め込んで使い捨てとしたりし得る表土移植具を提供せんとするものである。
【００１０】
本発明のその他の目的は、明細書、図面、特に、特許請求の範囲における各請求項の記載から自ずと明らかとなろう。
【００１１】
【課題を解決するための手段】
【００１２】
本発明具は、前記課題の解決に当り、運搬具をもかね、自走式機械の先端部の表土剥き取り機構に脱着自在に且つ剥き取った表土層を満載収容自在にセット装着すると共に当該装着時、当該表土剥き取り機構先端上に重合臨む前端を取り入れ排出端として開放形成する特徴的手段を講じる特徴を有する。
【００１３】
更に、具体的詳細に述べると、当該課題の解決では、本発明が次に列挙する上位概念から下位概念にわたる新規な特徴的構成手段を採用することにより、上記目的を達成するように為される。
【００１４】
即ち、本発明具の第１の特徴は、表土層剥き取り具と運搬具を兼ねる表土移植具であって、自走式機械の先端の表土剥き取り機構と一体的に表土層を剥き取り満載収容自在に前端を取り入れ排出端として開放し且つ当該表土剥き取り機構内に着脱自在にセット装着するよう形成してなる表土移植具の構成採用にある。
【００１５】
本発明具の第２の特徴は、上記本発明具の第１の特徴における前記表土移植具が、左右及び後端全長に亙り壁部を擁してなる表土移植具の構成採用にある。
【００１６】
本発明具の第３の特徴は、上記本発明具の第１又は第２の特徴における前記取り入れ排出端が、閉鎖板帯にて閉鎖自在に形成されてなる表土移植具の構成採用にある。
【００１７】
本発明具の第４の特徴は、上記本発明具の第１、第２又は第３の特徴における前記取り入れ排出端が、前記表土剥き取り機構前部に保持するストッパ片を下側に突設してなる表土移植具の構成採用にある。
【００１８】
本発明具の第５の特徴は、上記本発明具の第２、第３又は第４の特徴における前記左右壁部が、前後寄りにそれぞれ吊り上げの為のフック穴を設けてなる表土移植具の構成採用にある。
【００１９】
本発明具の第６の特徴は、上記本発明具の第２、第３、第４又は第５の特徴における前記表土移植具が、金属、木材、プラスチック、硬厚紙の何れかの素材からなる表土移植具の構成採用にある。
【００２０】
本発明具の第７の特徴は、上記本発明具の第６の特徴における前記木材、前記硬厚紙が、使い捨ての場合、肥料の含浸と付着のいずれかを施してある表土移植具の構成採用にある。
【００２１】
本発明具の第８の特徴は、上記本発明具の第２、第３、第４、第５、第６又は第７の特徴における前記表土移植具が、前記取り入れ排出端から前記後端壁に至り横幅を末狭に形成してなる表土移植具の構成採用にある。
【００２２】
本発明具の第９の特徴は、上記本発明具の第２、第３、第４、第５、第６、第７又は第８の特徴における前記表土移植具が、空状態での保管時及び運搬時には、前に順次ずれ出した変形段積自在に形成してなる表土移植具の構成採用にある。
【００２３】
本発明具の第１０の特徴は、上記本発明具の第２、第３、第４、第５、第６、第７、第８又は第９の特徴における前記表土移植具が、内側面全体に土に対する滑り性の有る塗料のコーティングと紙製ガムテープの貼着のいずれかを施してなる表土移植具の構成採用にある。
【００２４】
【発明の実施の形態】
以下、添付図面を参照しながら、本発明の実施の形態につき説明する。
【００２５】
なお、本発明は、ブルドーザ等の自走式機械のバケット内にセット装着自在になるものであって、表土層を自然状態のまま剥き取る道具になり、且つ剥き取った表土層の運搬具ともなる表土移植具であって、表土層を自然状態のまま移植するものであるが、使用例では、本発明が適用する自走式機械としてもっぱらブルドーザ又はパワーシャベルを代表例として説明するもこれらに限定されるものではなく、土木機械、農業機械、建築機械を含むものである。
【００２６】
図１は、本実施形態例の表土移植具であり、（ａ）は平面図、（ｂ）は側面図であり、（ｃ）は複数の表土移植具を積み重ねた状態の側面図である。
図２は、表土移植具を吊り上げた状態の斜視図である。
図中、１は本発明具を示す表土移植具、２は表土移植具１の左右両側と背側の三方壁部、３は取り入れ排出端、４は左右両側壁部２に設けた前後一対のフック穴、５は外底面前部に突設したストッパ片、６は閉鎖板帯である。また、１１は表土移植具１を吊り上げるワイヤ、１２はフックである。
【００２７】
表土移植具１は、表土層の剥き取り具になると共に、剥き取った表土層の運搬具にもなるものである。表土移植具１は、左右及び後端三方全長に亙り壁部２を擁し、１方の前端面及び天井がない有底容器のような形状をしている。壁部２をなす左右及び後端の各側面は、例えば、長手方向の長さを１メートル、高さを２０〜３０センチメートルとする。
【００２８】
また、表土移植具１の形状は、図１（ａ）に示すように、取り入れ排出端３から後端の壁部２に至り左右横幅を末狭に形成してある。更に、表土移植具１の各壁部２は、垂直方向に対して若干の勾配が設けられたテーパー形状をしている。これにより、図１（ｃ）に示すように、表土移植具１は前端を漸次前方にずれ出す変形段積自在に形成してあり、保管時及び運搬時における省スペース化が図られている。
表土移植具１の内側面全体には、土に対する滑り性の有る塗料のコーティング又は紙製ガムテープの貼着を施してある。
【００２９】
取り入れ排出端３は、表土移植具１における前端面であり、表土層を剥き取って取り入れる入り口となると共に、剥き取った表土層を排出する排出口ともなる。また、取り入れ排出端３は、閉鎖板帯６にて閉鎖開放自在に形成される。即ち、表土層を剥き取るときは、取り入れ排出端３から閉鎖板帯６が取り外され、剥き取り後は、満載収容した表土ブロックが崩れないように、取り入れ排出端３に閉鎖板帯６が取り付けられる。
【００３０】
閉鎖板帯６は、左右両側壁部２に設けられた閉鎖板帯保持孔６’にゴム帯板系弾性板帯の両端フックを取外し自在に掛止して張架閉鎖し、満載収容した表土ブロックが崩れないようにする。
【００３１】
フック穴４は、剥き取られた表土ブロックを満載収容する表土移植具１を吊り上げる時に用いられるワイヤ１１の先端のフック１１ａが挿入されるものである。フック穴４は、表土移植具１における左右の壁部２における、前後寄りにそれぞれ設けられており、全部で４つ設けられている。
【００３２】
ストッパ片５は、表土移植具１がブルドーザ等の自走式機械の先端に設けられた表土剥き取り機構（後述、図３参照）のフォーク前部と貫合するものであり、取り入れ排出端３の外底面前部に突出形成してなるものである。ここで、ストッパ片５に代えて自走式機械の先端の表土剥き取り機構における前縁フォーク間の係合溝に対応する取り入れ排出端３前縁を係合自在に外底面の下側に折り込んで係合しても良い。
【００３３】
これらにより、表土移植具１は、ブルドーザ等の自走式機械の先端の表土剥き取り機構に着脱自在にセット装着され、取り入れ排出端３から表土層を剥き取り満載収容する。表土層を満載収容した表土移植具１は、図２に示すように吊り上げられ、トラック等の運搬手段に積載されて移植目的地まで運搬される。その後、トラック等の運搬手段から表土移植具１は吊り上げられて移植場所の真上まで持来され、移植場所に降ろされて行き、取り入れ排出端３から移植地面上に表土層をそつくり敷き詰めして移植するものである。
【００３４】
また、表土移植具１の素材は、金属、木材、プラスチック、硬厚紙の何れかを用いる。閉鎖板帯６の素材としては、ゴム布を用いてもよい。ここで、表土移植具１の素材として硬厚紙又は木材を用いた場合は、表土層を剥き取り満載収容した当該表土移植具１を、その表土層と共に移植地面上にそのまま安置敷き詰めて、所謂使い捨てとして用いてもよい。
【００３５】
この場合は、表土移植具１をなす硬厚紙又は木材に肥料を含浸又は付着させておくことで、移植した表土壌中に生息するバクテリアや各種土壌菌や各種菌種、花や草や小樹木等の植物の種子や根っ子や球根が、移植前のもとの状態に早期に回復可能となり、自然環境を早期に復元することができる。
【００３６】
（使用機構例）
図３は、本実施形態例の実施に使用する表土剥き取り機構の側面図である。
図４は、同上の表土剥き取り機構の正面図である。
表土剥き取り機構２０は、ブルドーザ又はパワーシャベル等の自走式機械の先端に着脱自在に取り付けられるものであり、図１及び図２に示す表土移植具１を着脱自在にセットするものである。
【００３７】
表土剥き取り機構２０は、バケット２１（背板部２１ａ、側板部２１ｂ、フォーク２１ｃ、底板部２１ｄからなる）と、回転刃２３と、カバー状上押え板２４とを有して構成されている。
【００３８】
バケット２１は、背板部２１ａと、左右２つの円弧上縁に形成した側板部２１ｂと、先端にそれぞれ係合溝を間に挟んでフォーク２１ｃ群を突設した底板部２１ｄとで、バケット形状をなしている。そして、図３に示すように、バケット２１の底板部２１ｄ前端上に表土移植具１の取り入れ排出端３が臨みかつ前端開放部２２と表土移植具１の取り入れ排出端３とが同一方向に向くように、バケット２１の内側に、表土移植具１が着脱自在にセット装着される。
【００３９】
なお、図３に示す表土移植具１の取り入れ排出端３付近における側面形状が丸みをおびており、図１に示す表土移植具１の取り入れ排出端３付近における側面形状と異なるものとしている。
また、バケット２１は、フォーク先端、ショベル、前端開放フレーム、前端開放ボックス、側面Ｌ型プッシャープレートで代表されるバケットタイプのものであればよい。
【００４０】
バケット２１における左右２つの側板部２１ｂそれぞれの前寄り左右両外側には、回転刃２３が回転自在に取りつけられている。回転刃２３は、表土剥き取り機構２０及び表土移植具１の前進伴って、表土層の移植領域における１回分の剥き取り面積の左右両側に並行切込みを入れるものであり、表土剥き取り機構２０及び表土移植具１内の剥き取り前進による表土層の攪拌を低減させて、表土層を自然状態のままで表土移植具１に満載するための物である。
【００４１】
バケット２１の上側には、先端に掘り込み刃２４’を有する左右一対の上押え板２４が揺動起伏自在に枢架されている。即ち、上押え板２４は、左右２枚の曲面板形状をしており、各曲面板形状の一端（後端）がそれぞれバケット２１の側面部２１ｂに枢支軸２４’を中心として回動自在に枢支されている。
【００４２】
更に、上押え板２４の上面には二股ブラケット２６ａが設けられており、この二股ブラケット２６ａ間に亙り貫通された枢支軸２６ｂにて、ピストンロッド２６の外端が枢結されている。ここで、ピストンロッド２６は押え板操作シリンダ２５に出没動自在に内挿されている。押え板操作シリンダ２５の尾端２５ａは、バケット２１の背板部２１ａの表側面上端部に設けられた二股ブラケット２５ｂに挿入してあって、枢支軸２５ｃにて枢結されている。
【００４３】
バケット２１の背板部２１ａの裏側面略中央には並行取付フレーム２９が設けられており、並行取付フレーム２９を介して、表土剥き取り機構２０がブルドーザ又はパワーシャベル等の自走式機械の先端に着脱自在に取り付けられる。
【００４４】
更に、バケット２１の背板部２１ａの下方外側には押出部操作シリンダ２８が設けられており、押出部操作シリンダ２８にはピストンロッド２８’が出没動自在に内挿されている。ピストンロッド２８’は、バケット２１の背板部２１ａを貫通し、ピストンロッド２８’の先端は背板部２１ａ内側面に突設した並立ブラケット２７ａ間に軸支されバケット２１内に回動自在に取りつけられた押出部２７に枢結されている。
【００４５】
従って、ピストンロッド２８’の先端が図３における図中左右に移動するに伴って押出部２７も左右に移動し、押出部２７が右から左に移動すると、バケット２１内に設置された表土移植具１の背壁２が押出部２７に押されて前方に押し出される。
【００４６】
図５は、本実施形態例の実施に使用する他の表土剥き取り機構２０’の側面図である。
図６は、同上の表土剥き取り機構２０’の正面図である。
表土剥き取り機構２０’は、図３及び図４に示す表土剥き取り機構２０と同様に、ブルドーザ又はパワーシャベル等の自走式機械の先端に着脱自在に取り付けられるものであり、図１及び図２に示す表土移植具１を着脱自在に装着するものである。
【００４７】
表土剥き取り機構２０’は、図３及び図４に示す表土剥き取り機構２０における回転刃２３を、固定刃３３に置き換えたものであり、他の構成要素は図３及び図４に示す表土剥き取り機構２０に構成要素と同一である。
【００４８】
バケット２１における左右２つの側板部２１ｂそれぞれの左右両外側には、固定刃３３が固着されている。固定刃３３は、表土剥き取り機構２０’及び表土移植具１の前進に伴って、表土層の移植領域における１回分の剥き取り面積の左右両側に並行切込みを入れるものであり、表土剥き取り機構２０’及び表土移植具１の前進による表土層の攪拌を低減させて、表土層を自然状態のままで表土移植具１に満載するための物である。
【００４９】
図７は、表土移植具を内側にセット保持した表土剥き取り機構２０の装着例を示す側面図である。
図８は、同上の装着例の正面図である。
同図にはブルドーザ等の自走式主動機Ａ前部に昇降・起伏機構Ｂを介して取付けられた表土剥き取り機構２０と自走式主動機Ａの後端に装架された回転ジブクレーンＤとが示されている。
ここで昇降・起伏機構Ｂも表土剥き取り機構２０も左右対称構造であるので以下左右同番号を付し片方のみを記して説明した。
【００５０】
図７に示すよう、従来同様の前記昇降・起伏機構Ｂは、自走式主動機Ａの両側面には左右一対の並行リフトアーム４１後部が枢着されており、これら左右並行リフトアーム４１は油圧作動の左右アーム操作ピストン・シリンダ機構４２の動作により表土剥き取り機構２０は上下昇降自在になっている。
【００５１】
また、これらの左右並行リフトアーム４１の先端には表土剥き取り機構２０の並行取付フレーム２９が枢着取付けられ、油圧作動の左右チルト操作ピストン・シリンダ機構４５の動作により左右並行中継チルトレバー４６を揺動し、当該左右並行中継チルトレバー４６の上端に左右並行チルトシャフト４７の一端をそれぞれ枢結するとともに、他端を表土剥き取り機構２０の取付フレーム２９に枢支取付け、表土剥き取り機構２０を起伏自在としている。
【００５２】
また、図７に示すよう、回転ジブクレーンＤは、自走式主動機Ａの後方端に棚状突設したフレーム台５２上に旋回自在に搭載する回転軸盤５３上に装架する。
同図中、５４は伸縮スライドブーム５５を上下揺動するブーム操作シリンダ、５６は伸縮スライドブーム５５を伸縮制御するワイヤー５７を巻き上げるワイヤー巻上げロール、５８はホイストである。ホイスト５８からは下端にフック１２を取付けたワイヤー（図示せず）が吊り下げられる。
【００５３】
回転ジブクレーンＤは、表土剥き取り機構２０から表土層を満載して押し出された表土移植具１を吊り上げ旋回してトラック等の運搬手段に積み込むためのものである。また、移植地が近隣の場合、回転ジブクレーンＤによって、表土剥き取り機構２０から表土層を満載して押し出された表土移植具１を吊り上げ、そのまま自走式主動機Ａを走行させて、所望の移植地面上へ表土移植具１を移動させて、当該表土移植具１を前方に傾けて当該表土層のみを当該移植地面上に滑らせ排出して配列整地してもよい。
【００５４】
（作業例）
次に、上述の移植具例を用いて実行する表土移植作業例につき以下に説明する。
図９は、本表土移植作業の第１工程を示す部分断面側面図である。
第１工程としては、予め、移植領域Ｆの剥き取り開始周辺部域に亙り所要深さを掘り取って表土段差Ｆ’を形成して置く。
【００５５】
この表土段差Ｆ’の形成には、図７に示すブルドーザ等の自走式主動機Ａ前部に、昇降・起伏機構Ｂを介してバケットＣを取付け、自走式主動機Ａの後端に、回転ジブクレーンＤを装架した機械を用いる。
【００５６】
即ち、図７に示す機械における表土剥き取り機構２０をバケットＣに交換した機械を操作して、バケットＣで移植領域Ｆの剥き取り開始周辺部域に亙り所要深さを掘り取って表土段差Ｆ’を形成する。なお、ここでの交換は、並行取付フレーム２９から表土剥き取り機構２０を取り外し、その後、並行取付フレーム２９にバケットＣを枢着取付けることで行なう。
また、第１工程においては、移植領域Ｆが潅木や雑木が生えている表土層の場合、予め、伐採しておく。
【００５７】
第２工程としては、土質が硬くバラバラに解れる場合や、根がビッシリ強く張っている場合には、予備的に、回転刃２３や固定刃２４’に代えて又は補完的に移植領域Ｆに１回分の剥き取り面積をチエンソー等で、予め、切り込み区画する。この切り込み区画することによって、後工程の剥き取り作業による表土層の攪拌が低減し、表土層や土壌中に生息する昆虫や幼虫などの生物、土中のバクテリアや各種土壌菌や各種菌種が死滅し、花や草や小樹木等の植物の種子や根っ子や球根が何度も撹拌されて傷付いたり、表土面に露出したりして、自然破壊が行なわれることを、低減することができる。一般的にはこの予備的又は補完的手作業は省略される。
【００５８】
図１０乃至図１１は、本表土移植工法の第３工程を示す土壌部分を破断した側面図である。
第３工程としては、表土剥き取り機構２０のバケット２１を用いて、移植領域Ｆの表土段差Ｆ’に前端開放部２２ともども先端を重合臨ませた表土移植具１により（図１０参照）、当該移植領域Ｆの所要深さまでの表土層を破壊することなく自然の状態を保持してブルドーザ等の自走式主動機を前進し差し込み剥き取る（図１１参照）。
【００５９】
即ち、第１工程の後に、図１１に示すように、自走式主動機Ａを走らせて、前進させながら、表土剥き取り機構２０に取り付けられた左右一対の回転刃２３を回転並進させることにより、移植領域Ｆの１回分の剥き取り面積の左右側に並行切込みを入れながら、当該区画の表土層を剥き取り表土移植具１に満載する。
【００６０】
その後、表土剥き取り機構２０の上側に揺動起伏自在に枢架されていて先端に掘り込み刃２４’を有する左右一対の上押え板２４により、移植領域Ｆの１回分の剥き取り面積の前側に切込みを入れ、上押え板２４により表土移植具１に満載された表土層を上側から全体を押さえ込みながら自走式主動機Ａを後進させて、移植領域Ｆの表土層と表土移植具１に満載された表土層とを分離する。
【００６１】
図１２は、本表土移植作業の第４工程の一例を示す傾斜法面部分を破断した側面図である。
第４工程としては、第３工程で剥き取られた表土層を満載した表土移植具１を運搬具として用いて、トラック等の適宜運搬手段に積載し移植目的地まで運搬する。その際、表土ブロックを満載した表土移植具１は多段積みして運搬可能である。
【００６２】
ここで、表土層を満載した表土移植具１は、表土剥き取り機構２０の内側に搭載され、自走式主動機Ａの走行及び昇降・起伏機構Ｂの動作によりトラック等の適宜運搬手段の側に移動され、表土移植具１が表土剥き取り機構２０の後方から若干押し出される。
【００６３】
これは、押出部操作シリンダ２８に内挿されているピストンロッド２８’により押出部２７が押し出され、その押出部２７の動作により表土移植具１が表土剥き取り機構２０より若干押し出されるものであり、表土移植具１が表土剥き取り機構２０に密着されている状態を解除して、表土移植具１を表土剥き取り機構２０から吊り上げ可能にするための動作である。
【００６４】
また、表土移植具１のトラック等運搬手段への積載は、自走式主動機Ａの後端に装架された回転ジブクレーンＤによって、表土剥き取り機構２０から表土層を満載して押し出された表土移植具１を吊り上げ旋回して運搬手段に積み込むものとする。なお、この積み込みはトラック等運搬手段に搭載されたジブクレーンを用いてもよい。
【００６５】
その後、図１２に示すように、トラック等運搬手段からワイヤ１１を用いて表土移植具１を吊り上げて移植場所８０の真上まで持来する。ここで、表土層を満載した表土移植具１の運搬においては、表土移植具１の前端に設けた取り入れ排出端３に、吊り上げ及び運搬時は閉鎖板帯６を取りつけると共に表土層の敷き詰め時は取り外す。
【００６６】
図１３は、本表土移植作業の第５工程の一部を示す概念斜視図である。
第５工程としては、第４工程でトラック等運搬手段からワイヤ１１を用いて移植場所８０の真上まで持来された表土層を満載した表土移植具１を、当該移植場所８０に降ろして行き、前側のワイヤを外して前傾斜とし取り入れ排出端３から滑出し敷き詰めるが、傾斜法面の場合には必要に応じ金釘、木釘、竹釘等の長釘や細杭（いずれも図示せず）を打ち込んで滑り止めを施す。移植地面上に前記表土層のみをそつくり滑らせ移植を完了する。
【００６７】
ここで、移植場所８０の移植地面上への表土層の敷き詰めは、表土移植具１を前方に傾けて表土層のみを当該移植地面上に滑らせ排出して配列整地する。本図では、表土移植具１から排出された表土層８１、表土層８２及び表土層８３が配列整地されている。
【００６８】
また、移植場所８０の移植地面上への表土層の敷き詰めは、使い捨ての表土移植具１共々当該表土層を静置して配列整地するものとしてもよい。
必要に応じ金釘、木釘、竹釘等の長釘や細杭（いずれも図示せず）を表土移植具１の底面を貫通して傾斜法面に打ち込んで滑り止めを施す。
【００６９】
以上、本発明の代表的な移植具例について説明したが、本発明は、必ずしも上記した事項に限定されるものではない。本発明の目的を達し、下記する効果を奏する範囲において、適宜変更可能である。
【００７０】
【発明の効果】
以上説明したように、本発明の表土移植具を用いて、表土層を破壊することなく自然状態を保持して剥き取るので、各種土木工事に当り、表土の自然環境及び生態系を破壊することなくそのままそっくり移転することが可能となる。
【００７１】
また、表土層剥き取り具と運搬具を兼ねる表土移植具を、自走式機械の先端に取りつけた表土剥き取り機構に着脱自在にセット装着するので、作業の省人化を計り大規模且つ迅速な機動性を発揮することが可能となる。
【００７２】
また、表土移植具が着脱自在に装着される表土剥き取り機構を、従来の土木機械や建設機械や農業機械などの自走式機械の先端に着脱自在に装着することで、地面を掘ったり剥き取ったりする従来の土木機械や建設機械や農業機械などを有効利用することが可能となる。
【００７３】
また、表土移植具の素材を金属、木材、プラスチック、硬厚紙の何れかの素材とすることで、移転先の現場条件に合せ表土移植具の素材を選択し、何回でも使用する通い運搬具としたり、埋め込んで使い捨てとしたりし得る表土移植具を構成することが可能となる。
【図面の簡単な説明】
【図１】本発明の実施形態例の表土移植具１であり、（ａ）は平面図、（ｂ）は側面図であり、（ｃ）は複数の表土移植具を積み重ねた状態の側面図である。
【図２】同上の表土移植具１を吊り上げた状態の斜視図である。
【図３】本発明の実施形態例の表土剥き取り機構２０の側面図である。
【図４】同上の表土剥き取り機構２０の正面図である。
【図５】本発明における他の実施形態例の表土剥き取り機構２０’の側面図である。
【図６】同上の表土剥き取り機構２０’の正面図である。
【図７】同上の表土剥き取り機構２０の装着例を示す側面図である。
【図８】同上の装着例の正面図である。
【図９】本発明の実施形態例を用いて行う表土移植作業の第１工程を示し土壌部分を破断した側面図である。
【図１０】同上の表土移植作業の第３工程開始直前を示し土壌部分を破断した側面図である。
【図１１】同上の表土移植作業の第３工程途中を示し土壌部分を破断した側面図である。
【図１２】同上の表土移植作業の第４工程の一部を示し土壌部分を破断した側面図である。
【図１３】同上の表土移植作業の第５工程を示す概念斜視図である。
【符号の説明】
１…表土移植具
２…壁部
３…取り入れ排出端
４…フック穴
５…ストッパ片
６…閉鎖板帯
６’…閉鎖板帯保持部
１１…ワイヤ
１１ａ，１２…フック
２０，２０’…表土剥き取り機構
２１…バケット
２１ａ…背板部
２１ｂ…側板部
２１ｃ…フォーク
２１ｄ…底板部
２２…前端開放部
２３…回転刃
２４…上押え板
２４’…掘り込み刃
２４”…枢支軸
２５…押え板操作シリンダ
２５ａ…尾端
２５ｂ…二股ブラケット
２５ｃ…枢支軸
２６…ピストンロッド
２６ａ…二股ブラケット
２６ｂ…枢支軸
２７…押出部
２７ａ…並立ブラケット
２８…押出部操作シリンダ
２８’…ピストンロッド
２９…並行取付フレーム
３３…固定刃
４１…並行リフトアーム
４２…左右アーム操作ピストン・シリンダ機構
４５…左右チルト操作ピストン・シリンダ機構
４６…左右並行中継チルトレバー
４７…左右並行チルトシャフト
５２…フレーム台
５３…回転軸盤
５４…ブーム操作シリンダ
５５…伸縮スライドブーム
５６…ワイヤー巻上げロール
５７…ワイヤー
５８…ホイスト
８０…移植場所
８１，８２，８３…表土層
Ａ…自走式主動機
Ｂ…昇降・起伏機構
Ｃ…バケット
Ｄ…回転ジブクレーン
Ｆ…移植領域
Ｆ’…表土段差
【図１】
0003605585.tif 000002
【図２】
0003605585.tif 000003
【図３】
0003605585.tif 000004
【図４】
0003605585.tif 000005
【図５】
0003605585.tif 000006
【図６】
0003605585.tif 000007
【図７】
0003605585.tif 000008
【図８】
0003605585.tif 000009
【図９】
0003605585.tif 000010
【図１０】
0003605585.tif 000011
【図１１】
0003605585.tif 000012
【図１２】
0003605585.tif 000013
【図１３】
0003605585.tif 000014